(57)【要約】【課題】発熱体収納函の冷却に使用される冷却システムにおいて、接続ケーブルの配線数を減らし、設置作業を容易にし、省スペース、省配線のための発熱体収納函の冷却システムを提供することを目的とする。【解決手段】発熱体収納函１の内気温を外気に廃熱させる冷却装置本体２と、発熱体収納函１との信号の伝送を行う通信線１０を接続するコントローラー３との間に接続する分配された電源ラインに電力線搬送通信を用いることにより２本の中継線１７にて電源と信号を送受信させて配線の省スペース、省施工化を図る発熱体収納函１を冷却する発熱体収納函冷却システムを得られる。【選択図】図１
2006098016.tif 000002
【特許請求の範囲】
【請求項１】
発熱体収納函を冷却する発熱体収納函冷却システムにおいて、発熱体収納函の内気温を外気に廃熱させる冷却装置本体と発熱体収納函との信号の伝送を行う通信線を接続するコントローラーとの間に接続する電源ラインに前記冷却装置本体と前記コントローラー間の通信に電力線搬送通信を用いたことを特徴とする発熱体収納函冷却システム。
【請求項２】
発熱体収納函の内気温を外気に廃熱させる熱交手段と内気と外気を循環させる循環送風手段と前記循環送風手段を動作させる冷却装置本体側制御手段と発熱体収納函の外気温度を測定する外気温測定手段とコントローラーから供給された電源を取り入れる冷却装置本体側電源入力手段を備えこの冷却装置本体側電源入力手段から供給される電源ラインに電力線搬送通信を用いた送受信信号を搬送させる冷却装置本体側信号搬送部を備えた冷却装置本体と、発熱体収納函の内気温度を測定する内気温測定手段と発熱体収納函から供給される電源を取り入れるコントローラー側電源入力手段と供給された電源を分配し取り出す中継手段と発熱体収納函との信号の伝送を行う通信線を接続する通信線接続手段とコントローラー側電源入力手段から供給される電源ラインに電力線搬送通信を用いた送受信信号を搬送させるコントローラー側信号搬送部を備えたコントローラーとを備えた請求項１記載の発熱体収納函冷却システム。
【請求項３】
発熱体収納函に設置された複数台の冷却装置本体を識別するための号機を判断する冷却装置本体号機判断手段を冷却装置本体側制御手段に備え、前記冷却装置本体号機判断手段に冷却装置本体の号機を設定する冷却装置本体号機設定手段を備えたことを特徴とする請求項２記載の発熱体収納函冷却システム。
【請求項４】
発熱体収納函の内気温を外気に廃熱させる冷却装置本体に電源を分配し取り出す冷却装置本体側中継手段を備えたことを特徴とする請求項１記載の発熱体収納函冷却システム。
【請求項５】
発熱体収納函の内気温を外気に廃熱させる熱交手段と内気と外気を循環させる循環送風手段と前記循環送風手段を動作させる冷却装置本体側制御手段と発熱体収納函の外気温度を測定する外気温測定手段とコントローラーから供給された電源を取り入れる冷却装置本体側電源入力手段と供給された電源を分配し取り出す冷却装置本体側中継手段を備え前記冷却装置本体側電源端子台と前記冷却装置本体側中継手段間の電源ラインに電力線搬送通信を用いた送受信信号を搬送させる第１の信号搬送部と第２の信号搬送部と第１の信号搬送部による信号と第２の信号搬送部による信号の干渉を防ぐ信号遮断手段を備えた冷却装置本体と、発熱体収納函の内気温度を測定する内気温測定手段と発熱体収納函から供給される電源を取り入れるコントローラー側電源入力手段と供給された電源を分配し取り出すコントローラー側中継手段と発熱体収納函との信号の伝送を行う通信線を接続する通信線接続手段と前記コントローラー側入力手段から供給される電源ラインに電力線搬送通信を用いた送受信信号を搬送させるコントローラー側信号搬送部を備えたコントローラーとを備えた請求項４記載の発熱体収納函冷却システム。
【請求項６】
発熱体収納函の内気温を外気に廃熱させる冷却装置本体に電源を分配し取り出す冷却装置本体側中継手段と発熱体収納函との信号の伝送を行う通信線を接続する通信線接続手段を備え分配された電源ラインに複数台設置された冷却装置本体間の通信として電力線搬送通信を用いたことを特徴とする発熱体収納函冷却システム。
【請求項７】
発熱体収納函に設置された複数台の冷却装置本体間の電力線搬送通信における冷却装置本体の親機と子機の判断を行う親機子機判断手段を備えたことを特徴とする請求項６記載の発熱体収納函冷却システム。
【請求項８】
発熱体収納函の内気温を外気に廃熱させる熱交手段と、内気と外気を循環させる循環送風手段と前記循環送風手段を動作させる冷却装置本体側制御手段と発熱体収納函の外気温度を測定する外気温測定手段と発熱体収納函の内気温度を測定する内気温測定手段と供給された電源を取り入れる冷却装置本体側電源入力手段を備えた冷却装置本体に供給された電源を分配し取り出す第１の中継手段と第２の中継手段と発熱体収納函との信号の伝送を行う通信線を接続する通信線接続手段を備え前記第１の中継手段と第２の中継手段間の電源ラインに電力線搬送通信を用いた送受信信号を搬送させる第１の信号搬送部と第２の信号搬送部と第１の信号搬送部による信号と第２の信号搬送部による信号の干渉を防ぐ信号遮断手段と冷却装置本体間の電力線搬送通信における冷却装置本体の親機と子機の判断を行う親機子機判断手段とこの冷却装置本体制御手段に親機と子機の切換え操作手段を備えたことを特徴とする発熱体収納函冷却システム。
【請求項９】
発熱体発熱体収納函の内気温度を測定する内気温測定手段を取り外し可能とした接続手段を備えたことを特徴とする請求項７あるいは８記載の発熱体収納函冷却システム。
【請求項１０】
電源を取り入れる電源線を接続する冷却装置本体側電源入力手段の接続口に隣接してレバーが押されると接点が動作するプッシュＳＷを備え、前記電源線を接続すると前記プッシュＳＷのレバーが押されこのプッシュＳＷの接点が動作するようにしたことを特徴とする請求項７あるいは８記載の発熱体収納函冷却システム。
【請求項１１】
電源を取り入れる電源線を接続する冷却装置本体側入力手段に隣接して前記冷却装置本体側電源入力手段の接続口を塞ぐつまみを有し且つ前記つまみをスライドさせると前記冷却装置本体側電源入力手段の接続口が現れるスライドＳＷを備えたことを特徴とする請求項７あるいは８記載の発熱体収納函冷却システム。
【請求項１２】
電源を取り入れる電源線を接続する冷却装置本体側入力手段からの電源ラインに電源電流を検知する電流検知手段を備えたことを特徴とする請求項７あるいは８記載の発熱体収納函冷却システム。
【請求項１３】
発熱体収納函との信号の伝送を行う通信線を接続する通信線接続手段の接続口に隣接してレバーが押されると接点が動作するプッシュＳＷを備え、前記通信線を接続すると前記プッシュＳＷのレバーが押されこのプッシュＳＷの接点が動作するようにしたことを特徴とする請求項７あるいは８記載の発熱体収納函冷却システム。
【請求項１４】
発熱体収納函との信号の伝送を行う通信線を接続する通信線接続手段に前記通信線接続手段の接続口を塞ぐつまみを有し且つ前記つまみをスライドさせると前記通信線接続手段の接続口が現れるスライドＳＷを備えたことを特徴とする請求項７あるいは８記載の発熱体収納函冷却システム。
【請求項１５】
冷却装置本体に発熱体収納函との信号の伝送を行う通信線を接続したことを判断する通信線接続判断手段を備えたことを特徴とする請求項６から１４いずれか記載の発熱体収納函冷却システム。
【請求項１６】
発熱体収納函との信号の伝送を行う通信線を接続する通信線接続手段の接続口に隣接してレバーが押されると接点が動作するプッシュＳＷを備え、前記通信線を接続すると前記プッシュＳＷのレバーが押されこのプッシュＳＷの接点が動作するようにしたことを特徴とする請求項１５記載の発熱体収納函冷却システム。
【請求項１７】
発熱体収納函との信号の伝送を行う通信線を接続する通信線接続手段に前記通信線接続手段の接続口を塞ぐつまみを有し且つ前記つまみをスライドさせると前記通信線接続手段の接続口が現れるスライドＳＷを備えたことを特徴とする請求項１５記載の発熱体収納函冷却システム。
【請求項１８】
発熱体収納函に設置された複数台の冷却装置本体間の電力線搬送通信における冷却装置本体の号機を確定する冷却装置本体側制御手段と該当号機を視認するための発光表示装置を冷却装置本体に備えたことを特徴とする請求項１から１７いずれか記載の発熱体収納函冷却システム。
【請求項１９】
発熱体収納函に設置された複数台の冷却装置本体間の電力線搬送通信における冷却装置本体の号機を確定する冷却装置本体側制御手段と該当号機を確認するための音声発声手段を冷却装置本体に備えたことを特徴とする請求項１から１７いずれか記載の発熱体収納函冷却システム。
【発明の詳細な説明】
【技術分野】
【０００１】
本発明は、屋外に設置される函体構造物で内部に発熱体を有し、その発熱量が多く冬季においても冷却を有し、また、温度により性能、寿命に大きく影響を受けるような精密な機器を有する函に関し、特にその発熱体収納函冷却システムに関する。
【背景技術】
【０００２】
従来、この種の発熱体収納函冷却システムとしての冷却装置本体は熱交換器を利用したものが知られている（例えば、特許文献１、文献２参照）。
【０００３】
以下、その発熱体収納函冷却システムについて図２１、図２２および図２３を参照しながら説明する。
【０００４】
図に示すように、発熱体収納函１を冷却するシステムは発熱体収納函１の発熱量に応じて設置される複数台の冷却装置本体２とコントローラー３よりなり、冷却装置本体２は内気温を外気に廃熱する熱交換手段としての熱交換器４と冷却装置本体側制御手段としてのマイコンを搭載した冷却装置本体側電子制御装置５により制御駆動されるファンモーター６と発熱体収納函１の外気温を測定する外気温サーミスター７が前記冷却装置本体側電子制御装置５に接続されている。
【０００５】
本図では冷却装置本体の設置台数を３台として例にし、それぞれの冷却装置本体をＡ号機２ａ、Ｂ号機２ｂ、Ｃ号機２ｃと称し、以下説明する。
【０００６】
発熱体収納函１より供給される電源がコントローラー３のコントロール側電源端子台１３に接続される電源線１２により供給され、コントローラー３の内部にて電源を分配し取り出す手段としてのコントロール側端子台１０１に接続された３本の中継線１０２により電源が冷却装置本体２に実装された冷却装置本体側端子台１０３を通じてＡ号機２ａ、Ｂ号機２ｂ、Ｃ号機２ｃに供給される。その３本の中継線１０２は２本が電源１本が通信用の３本で、この電源の電源ラインの１線を利用した双方向通信によりコントローラー側制御手段としてのマイコンを搭載したコントローラ―側電子制御装置９とＡ号機２ａ、Ｂ号機２ｂ、Ｃ号機２ｃのそれぞれの冷却装置本体側電子制御装置５ａ、５ｂ、５ｃとの信号を送受信している。前記コントローラー側電子制御装置９には発熱体収納函１の内部温度を測定する内気温サーミスター８が接続されており、さらに発熱体収納函１との信号の伝送を行う通信線１０が接続された通信用端子台１１を備えている。
【０００７】
以上の構成により、内気温サーミスター８によって測定された発熱体収納函１の内気温度が外気温サーミスター７によって測定された発熱体収納函１の外気温度を上回った場合に、コントローラー３によりそれぞれの冷却装置本体２ａ、２ｂ、２ｃに運転指令が伝わりファンモーター６を駆動することにより外気と内気を循環させ、内気温を外気に廃熱させることによって発熱体収納函１を冷却している。
【特許文献１】特開２００１−１５６４７８号公報
【特許文献２】特開２００１−１９３９９５号公報
【発明の開示】
【発明が解決しようとする課題】
【０００８】
このような従来の発熱体収納函冷却システムでは、冷却装置として発熱体収納函より提供される電源は１系統のみでまた発熱体収納函への異常発報などを知らせる通信手段も１系統のみが許されているため、発熱体収納函の発熱量に応じ複数台の冷却装置本体を設置できるように冷却装置全体の制御と発熱体収納函との接続の窓口であるコントローラーと称する装置を設けており、コントローラーの設置スペースとさらには接続配線本数の増加という、省スペース、省配線および省施工性を要求される発熱体収納函には許しがたい課題があった。
【０００９】
また、電源の分配箇所をコントローラーという一つの装置に集約すると発熱体収納函の発熱量に応じて設置すべき冷却装置本体の最大設置台数が制約されるという課題があった。
【００１０】
また、冷却装置本体の複数台設置後に設置業者やサービスマンがそれぞれの冷却装置本体の号機を識別することが速やかに行えないという課題があった。
【００１１】
本発明は、このような従来の課題を解決するものであり、省配線により配線工事を減らし、発熱体収納函内の省スペース化を実現し、また、冷却装置本体の設置台数の制限を緩和し、複数台設置の各冷却装置本体の識別を容易に行えることのできる発熱体収用函冷却システムを提供することを目的としている。
【課題を解決するための手段】
【００１２】
本発明の発熱体収納函冷却システムは、上記目的を達成するために、発熱体収納函を冷却する発熱体収納函冷却システムにおいて、発熱体収納函の内気温を外気に廃熱させる冷却装置本体と発熱体収納函との信号の伝送を行う通信線を接続するコントローラーとの間に接続する電源ラインに前記冷却装置本体と前記コントローラー間の通信に電力線搬送通信を用いたものである。
【００１３】
この手段によりコントローラーと冷却装置本体とを接続する中継線の電源ラインに信号を搬送させることで２本とすることが可能となり省配線、省スペースに寄与する発熱体収納函冷却システムが得られる。
【００１４】
また、他の手段は、発熱体収納函の内気温を外気に廃熱させる熱交手段と内気と外気を循環させる循環送風手段と前記循環送風手段を動作させる冷却装置本体側制御手段と発熱体収納函の外気温度を測定する外気温測定手段とコントローラーから供給された電源を取り入れる冷却装置本体側電源入力手段を備えこの冷却装置本体側電源入力手段から供給される電源ラインに電力線搬送通信を用いた送受信信号を搬送させる冷却装置本体側信号搬送部を備えた冷却装置本体と、発熱体収納函の内気温度を測定する内気温測定手段と発熱体収納函から供給される電源を取り入れるコントローラー側電源入力手段と供給された電源を分配し取り出す中継手段と発熱体収納函との信号の伝送を行う通信線を接続する通信線接続手段とコントローラー側電源入力手段から供給される電源ラインに電力線搬送通信を用いた送受信信号を搬送させるコントローラー側信号搬送部を備えたコントローラーとを備えたものである。
【００１５】
この手段によりコントローラーと冷却装置本体とを接続する中継線の電源ラインに信号を搬送させることで２本とすることが可能となり省配線、省スペースに寄与する発熱体収納函冷却システムが得られる。
【００１６】
また、他の手段は、発熱体収納函に設置された複数台の冷却装置本体を識別するための号機を判断する冷却装置本体号機判断手段を冷却装置本体側制御手段に備え、前記冷却装置本体号機判断手段に冷却装置本体の号機を設定する冷却装置本体号機設定手段を備えたものである。
【００１７】
この手段により冷却装置本体の複数台設置後に設置業者やサービスマンがそれぞれの冷却装置本体に備えた冷却装置本体号機設定手段の設定状態を確認することができるので冷却装置本体の号機の識別を速やかに行える発熱体収納函冷却システムが得られる。
【００１８】
また、他の手段は、発熱体収納函の内気温を外気に廃熱させる冷却装置本体に電源を分配し取り出す冷却装置本体側中継手段を備えたものである。
【００１９】
この手段により冷却装置本体の電源を分配し取り出せる手段に電源線を接続することで冷却装置本体の増設が可能となり冷却装置本体の設置台数に制限がなくなり発熱体収納函の発熱量の激しい発熱体収納函にも適応できる発熱体収納函冷却システムが得られる。
【００２０】
また、他の手段は、発熱体収納函の内気温を外気に廃熱させる熱交手段と内気と外気を循環させる循環送風手段と前記循環送風手段を動作させる冷却装置本体側制御手段と発熱体収納函の外気温度を測定する外気温測定手段とコントローラーから供給された電源を取り入れる冷却装置本体側電源入力手段と供給された電源を分配し取り出す冷却装置本体側中継手段を備え前記冷却装置本体側電源端子台と前記冷却装置本体側中継手段間の電源ラインに電力線搬送通信を用いた送受信信号を搬送させる第１の信号搬送部と第２の信号搬送部と第１の信号搬送部による信号と第２の信号搬送部による信号の干渉を防ぐ信号遮手段を備えた冷却装置本体と、発熱体収納函の内気温度を測定する内気温測定手段と発熱体収納函から供給される電源を取り入れるコントローラー側電源入力手段と供給された電源を分配し取り出すコントローラー側中継手段と発熱体収納函との信号の伝送を行う通信線を接続する通信線接続手段と前記コントローラー側入力手段から供給される電源ラインに電力線搬送通信を用いた送受信信号を搬送させるコントローラー側信号搬送部を備えたコントローラーとを備えたものである。
【００２１】
この手段により冷却装置本体の電源を分配し取り出せる手段に電源線を接続することで冷却装置本体の増設が可能となり冷却装置本体の設置台数に制限がなくなり発熱体収納函の発熱量の激しい発熱体収納函にも適応できる発熱体収納函冷却システムが得られる。
【００２２】
また、他の手段は、発熱体収納函の内気温を外気に廃熱させる冷却装置本体に電源を分配し取り出す冷却装置本体側中継手段と発熱体収納函との信号の伝送を行う通信線を接続する通信線接続手段を備え分配された電源ラインに複数台設置された冷却装置本体間の通信として電力線搬送通信を用いたものである。
【００２３】
この手段によりコントローラーの機能を冷却装置本体に取り込み且つ電源を分配し取り出せる手段に電源線を接続することでコントローラーの設置が不要で且つ冷却装置本体の増設が可能となり、コントローラーの設置スペースを割くことができ、また冷却装置本体の設置台数に制限がなくなり発熱体収納函の発熱量の激しい発熱体収納函にも適応できる発熱体収納函冷却システムが得られる。
【００２４】
また、他の手段は、発熱体収納函に設置された複数台の冷却装置本体間の電力線搬送通信における冷却装置本体の親機と子機の判断を行う親機子機判断手段を備えたものである。
【００２５】
この手段により、親機に設定された冷却装置本体が電力線搬送通信によってそれぞれの冷却装置本体の号機を確定していけるので冷却装置本体の号機の設定作業を省くこととなり省施工性のある発熱体収納函冷却システムが得られる。
【００２６】
また、他の手段は、発熱体収納函の内気温を外気に廃熱させる熱交手段と、内気と外気を循環させる循環送風手段と前記循環送風手段を動作させる冷却装置本体側制御手段と発熱体収納函の外気温度を測定する外気温測定手段と発熱体収納函の内気温度を測定する内気温測定手段と供給された電源を取り入れる冷却装置本体側電源入力手段を備えた冷却装置本体に供給された電源を分配し取り出す第１の中継手段と第２の中継手段と発熱体収納函との信号の伝送を行う通信線を接続する通信線接続手段を備え前記第１の中継手段と第２の中継手段間の電源ラインに電力線搬送通信を用いた送受信信号を搬送させる第１の信号搬送部と第２の信号搬送部と第１の信号搬送部による信号と第２の信号搬送部による信号の干渉を防ぐ信号遮断手段と冷却装置本体間の電力線搬送通信における冷却装置本体の親機と子機の判断を行う親機子機判断手段とこの冷却装置本体制御手段に親機と子機の切換え操作手段を備えたものである。
【００２７】
この手段により、親機に設定された冷却装置本体が電力線搬送通信によってそれぞれの冷却装置本体の号機を確定していけるので冷却装置本体の号機の設定作業を省くこととなり省施工性のある発熱体収納函冷却システムが得られる。
【００２８】
また、他の手段は、発熱体発熱体収納函の内気温度を測定する内気温測定手段を取り外し可能とした接続手段を備えたものである。
【００２９】
この手段により、内気温度測定手段を取り付けた冷却装置本体が親機であることと自動で判断されるので作業者が冷却装置本体の親機の指定を行うことなく親機が特定されこの親機に設定された冷却装置本体が電力線搬送通信によってそれぞれの冷却装置本体の号機を確定していけるので冷却装置本体の号機の設定作業を省くこととなり省施工性のある発熱体収納函冷却システムが得られる。
【００３０】
また、他の手段は、電源を取り入れる電源線を接続する冷却装置本体側電源入力手段の接続口に隣接してレバーが押されると接点が動作するプッシュＳＷを備え、前記電源線を接続すると前記プッシュＳＷのレバーが押されこのプッシュＳＷの接点が動作するようにしたものである。
【００３１】
この手段により、電源線が接続された冷却装置本体が親機であることと自動で判断されるので作業者が冷却装置本体の親機の指定を行うことなく親機が特定されこの親機に設定された冷却装置本体が電力線搬送通信によってそれぞれの冷却装置本体の号機を確定していけるので冷却装置本体の号機の設定作業を省くこととなり省施工性のある発熱体収納函冷却システムが得られる。
【００３２】
また、他の手段は、電源を取り入れる電源線を接続する冷却装置本体側入力手段に隣接して前記冷却装置本体側電源入力手段の接続口を塞ぐつまみを有し且つ前記つまみをスライドさせると前記冷却装置本体側電源入力手段の接続口が現れるスライドＳＷを備えたものである。
【００３３】
この手段により、電源線が接続された冷却装置本体が親機であることと自動で判断されるので作業者が冷却装置本体の親機の指定を行うことなく親機が特定されこの親機に設定された冷却装置本体が電力線搬送通信によってそれぞれの冷却装置本体の号機を確定していけるので冷却装置本体の号機の設定作業を省くこととなり省施工性のある発熱体収納函冷却システムが得られる。
【００３４】
また、他の手段は、電源を取り入れる電源線を接続する冷却装置本体側入力手段からの電源ラインに電源電流を検知する電流検知手段を備えたものである。
【００３５】
この手段により、電源電流が流れたことを検知した冷却装置本体が親機であることと自動で判断されるので作業者が冷却装置本体の親機の指定を行うことなく親機が特定されこの親機に設定された冷却装置本体が電力線搬送通信によってそれぞれの冷却装置本体の号機を確定していけるので冷却装置本体の号機の設定作業を省くこととなり省施工性のある発熱体収納函冷却システムが得られる。
【００３６】
また、他の手段は、発熱体収納函との信号の伝送を行う通信線を接続する通信線接続手段の接続口に隣接してレバーが押されると接点が動作するプッシュＳＷを備え、前記通信線を接続すると前記プッシュＳＷのレバーが押されこのプッシュＳＷの接点が動作するようにしたものである。
【００３７】
この手段により、通信線が接続された冷却装置本体が親機であることと自動で判断されるので作業者が冷却装置本体の親機の指定を行うことなく親機が特定されこの親機に設定された冷却装置本体が電力線搬送通信によってそれぞれの冷却装置本体の号機を確定していけるので冷却装置本体の号機の設定作業を省くこととなり省施工性のある発熱体収納函冷却システムが得られる。
【００３８】
また、他の手段は、発熱体収納函との信号の伝送を行う通信線を接続する通信線接続手段に前記通信線接続手段の接続口を塞ぐつまみを有し且つ前記つまみをスライドさせると前記通信線接続手段の接続口が現れるスライドＳＷを備えたものである。
【００３９】
この手段により、通信線が接続された冷却装置本体が親機であることと自動で判断されるので作業者が冷却装置本体の親機の指定を行うことなく親機が特定されこの親機に設定された冷却装置本体が電力線搬送通信によってそれぞれの冷却装置本体の号機を確定していけるので冷却装置本体の号機の設定作業を省くこととなり省施工性のある発熱体収納函冷却システムが得られる。
【００４０】
また、他の手段は、冷却装置本体に発熱体収納函との信号の伝送を行う通信線を接続したことを判断する通信線接続判断手段を備えたものである。
【００４１】
この手段により、発熱体収納函との信号の伝送を行う通信線を冷却装置本体のいずれかの号機に接続しても接続された号機が判断できるので設置作業は配線の容易な号機との通信線の接続をすれば良く省施工性のある発熱体収納函冷却システムが得られる。
【００４２】
また、他の手段は、発熱体収納函との信号の伝送を行う通信線を接続する通信線接続手段の接続口に隣接してレバーが押されると接点が動作するプッシュＳＷを備え、前記通信線を接続すると前記プッシュＳＷのレバーが押されこのプッシュＳＷの接点が動作するようにしたものである。
【００４３】
この手段により、発熱体収納函との信号の伝送を行う通信線を冷却装置本体のいずれかの号機に接続しても接続された号機が判断できるので設置作業は配線の容易な号機との通信線の接続をすれば良く省施工性のある発熱体収納函冷却システムが得られる。
【００４４】
また、他の手段は、発熱体収納函との信号の伝送を行う通信線を接続する通信線接続手段に前記通信線接続手段の接続口を塞ぐつまみを有し且つ前記つまみをスライドさせると前記通信線接続手段の接続口が現れるスライドＳＷを備えたものである。
【００４５】
この手段により、発熱体収納函との信号の伝送を行う通信線を冷却装置本体のいずれかの号機に接続しても接続された号機が判断できるので設置作業は配線の容易な号機との通信線の接続をすれば良く省施工性のある発熱体収納函冷却システムが得られる。
【００４６】
また、他の手段は、発熱体収納函に設置された複数台の冷却装置本体間の電力線搬送通信における冷却装置本体の号機を確定する冷却装置本体側制御手段と該当号機を視認するための発光表示装置を冷却装置本体に備えたものである。
【００４７】
この手段により冷却装置本体の複数台設置後に設置業者やサービスマンがそれぞれの冷却装置本体の表示装置を視認することができるので冷却装置本体の確定号機を速やかに行える発熱体収納函冷却システムが得られる。
【００４８】
また、他の手段は、発熱体収納函に設置された複数台の冷却装置本体間の電力線搬送通信における冷却装置本体の号機を確定する冷却装置本体側制御手段と該当号機を確認するための音声発声手段を冷却装置本体に備えたものである。
【００４９】
この手段により冷却装置本体の複数台設置後に設置業者やサービスマンがそれぞれの冷却装置本体の音声発生手段により発せられた音声を聴覚することができるので冷却装置本体の確定号機を速やかに行える発熱体収納函冷却システムが得られる。
【発明の効果】
【００５０】
本発明によれば、省配線で省スペースな発熱体収納函冷却システムを提供できる。
【００５１】
また、発熱体収納函の発熱量に応じた冷却装置本体の設置台数に制限のない発熱体収納函冷却装置およびその配線を提供できる。
【００５２】
また、冷却装置本体の号機設定の手間を省く省作業が可能な発熱体収納函冷却システムを提供できる。
【００５３】
また、複数台設置された冷却装置本体の号機を設置業者やサービスマンが容易に識別できる発熱体収納函冷却システムを提供できる。
【発明を実施するための最良の形態】
【００５４】
本発明の請求項１記載の発明は、発熱体収納函を冷却する発熱体収納函冷却システムにおいて、発熱体収納函の内気温を外気に廃熱させる冷却装置本体と発熱体収納函との信号の伝送を行う通信線を接続するコントローラーとの間に接続する電源ラインに前記冷却装置本体と前記コントローラー間の通信に電力線搬送通信を用いたことを特徴とするものであり、コントローラーと冷却装置本体とを接続する中継線を２本とする作用を有する。
【００５５】
本発明の請求項２記載の発明は、発熱体収納函の内気温を外気に廃熱させる熱交手段と内気と外気を循環させる循環送風手段と前記循環送風手段を動作させる冷却装置本体側制御手段と発熱体収納函の外気温度を測定する外気温測定手段とコントローラーから供給された電源を取り入れる冷却装置本体側電源入力手段を備えこの冷却装置本体側電源入力手段から供給される電源ラインに電力線搬送通信を用いた送受信信号を搬送させる冷却装置本体側信号搬送部を備えた冷却装置本体と、発熱体収納函の内気温度を測定する内気温測定手段と発熱体収納函から供給される電源を取り入れるコントローラー側電源入力手段と供給された電源を分配し取り出す中継手段と発熱体収納函との信号の伝送を行う通信線を接続する通信線接続手段とコントローラー側電源入力手段から供給される電源ラインに電力線搬送通信を用いた送受信信号を搬送させるコントローラー側信号搬送部を備えたコントローラーとを備えたものであり、コントローラーと冷却装置本体とを接続する中継線を２本とする作用を有する。
【００５６】
本発明の請求項３記載の発明は、発熱体収納函に設置された複数台の冷却装置本体を識別するための号機を判断する冷却装置本体号機判断手段を冷却装置本体側制御手段に備え、前記冷却装置本体号機判断手段に冷却装置本体の号機を設定する冷却装置本体号機設定手段を備えたことを特徴とするものであり、複数台設置された冷却装置本体の号機を特定できる作用を有する。
【００５７】
本発明の請求項４記載の発明は、発熱体収納函の内気温を外気に廃熱させる冷却装置本体に電源を分配し取り出す冷却装置本体側中継手段を備えたことを特徴とするものであり、冷却装置本体の電源を分配し取り出せる手段に電源線を接続することで冷却装置本体の増設が可能となる作用を有する。
【００５８】
本発明の請求項５記載の発明は、発熱体収納函の内気温を外気に廃熱させる熱交手段と、内気と外気を循環させる循環送風手段と前記循環送風手段を動作させる冷却装置本体側制御手段と発熱体収納函の外気温度を測定する外気温測定手段とコントローラーから供給された電源を取り入れる冷却装置本体側電源入力手段と供給された電源を分配し取り出す冷却装置本体側中継手段を備え前記冷却装置本体側電源端子台と前記冷却装置本体側中継手段間の電源ラインに電力線搬送通信を用いた送受信信号を搬送させる第１の信号搬送部と第２の信号搬送部と第１の信号搬送部による信号と第２の信号搬送部による信号の干渉を防ぐ信号遮断手段を備えた冷却装置本体と、発熱体収納函の内気温度を測定する内気温測定手段と発熱体収納函から供給される電源を取り入れるコントローラー側電源入力手段と供給された電源を分配し取り出すコントローラー側中継手段と発熱体収納函との信号の伝送を行う通信線を接続する通信線接続手段と前記コントローラー側入力手段から供給される電源ラインに電力線搬送通信を用いた送受信信号を搬送させるコントローラー側信号搬送部を備えたコントローラーとを備えたものであり、冷却装置本体の電源を分配し取り出せる手段に電源線を接続することで冷却装置本体の増設が可能となる作用を有する。
【００５９】
本発明の請求項６記載の発明は、発熱体収納函の内気温を外気に廃熱させる冷却装置本体に電源を分配し取り出す冷却装置本体側中継手段と発熱体収納函との信号の伝送を行う通信線を接続する通信線接続手段を備え分配された電源ラインに複数台設置された冷却装置本体間の通信として電力線搬送通信を用いたことを特徴とするものであり、コントローラー不要で且つ冷却装置本体の電源を分配し取り出せる手段に電源線を接続することで冷却装置本体の増設が可能となる作用を有する。
【００６０】
本発明の請求項７記載の発明は、発熱体収納函に設置された複数台の冷却装置本体間の電力線搬送通信における冷却装置本体の親機と子機の判断を行う親機子機判断手段を備えたことを特徴とするものであり、コントローラー不要で且つ冷却装置本体の電源を分配し取り出せる手段に電源線を接続することで冷却装置本体の増設が可能となる作用を有する。
【００６１】
本発明の請求項８記載の発明は、発熱体収納函の内気温を外気に廃熱させる熱交手段と、内気と外気を循環させる循環送風手段と前記循環送風手段を動作させる冷却装置本体側制御手段と発熱体収納函の外気温度を測定する外気温測定手段と発熱体収納函の内気温度を測定する内気温測定手段と供給された電源を取り入れる冷却装置本体側電源入力手段を備えた冷却装置本体に供給された電源を分配し取り出す第１の中継手段と第２の中継手段と発熱体収納函との信号の伝送を行う通信線を接続する通信線接続手段を備え前記第１の中継手段と第２の中継手段間の電源ラインに電力線搬送通信を用いた送受信信号を搬送させる第１の信号搬送部と第２の信号搬送部と第１の信号搬送部による信号と第２の信号搬送部による信号の干渉を防ぐ信号遮断手段と冷却装置本体間の電力線搬送通信における冷却装置本体の親機と子機の判断を行う親機子機判断手段とこの冷却装置本体制御手段に親機と子機の切換え操作手段を備えたことを特徴とするものであり、コントローラー不要で且つ冷却装置本体の電源を分配し取り出せる手段に電源線を接続することで冷却装置本体の増設が可能となる作用を有する。
【００６２】
本発明の請求項９記載の発明は、発熱体発熱体収納函の内気温度を測定する内気温測定手段を取り外し可能とした接続手段を備えたことを特徴とするものであり、作業者が冷却装置本体の親機の指定を行うことなく親機が特定されるという作用を有する。
【００６３】
本発明の請求項１０記載の発明は、電源を取り入れる電源線を接続する冷却装置本体側電源入力手段の接続口に隣接してレバーが押されると接点が動作するプッシュＳＷを備え、前記電源線を接続すると前記プッシュＳＷのレバーが押されこのプッシュＳＷの接点が動作するようにしたことを特徴とするものであり、作業者が冷却装置本体の親機の指定を行うことなく親機が特定されるという作用を有する。
【００６４】
本発明の請求項１１記載の発明は、電源を取り入れる電源線を接続する冷却装置本体側入力手段に隣接して前記冷却装置本体側電源入力手段の接続口を塞ぐつまみを有し且つ前記つまみをスライドさせると前記冷却装置本体側電源入力手段の接続口が現れるスライドＳＷを備えたことを特徴とするものであり、作業者が冷却装置本体の親機の指定を行うことなく親機が特定されるという作用を有する。
【００６５】
本発明の請求項１２記載の発明は、電源を取り入れる電源線を接続する冷却装置本体側入力手段からの電源ラインに電源電流を検知する電流検知手段を備えたことを特徴とするものであり、作業者が冷却装置本体の親機の指定を行うことなく親機が特定されるという作用を有する。
【００６６】
本発明の請求項１３記載の発明は、発熱体収納函との信号の伝送を行う通信線を接続する通信線接続手段の接続口に隣接してレバーが押されると接点が動作するプッシュＳＷを備え、前記通信線を接続すると前記プッシュＳＷのレバーが押されこのプッシュＳＷの接点が動作するようにしたことを特徴とするものであり、作業者が冷却装置本体の親機の指定を行うことなく親機が特定されるという作用を有する。
【００６７】
本発明の請求項１４記載の発明は、発熱体収納函との信号の伝送を行う通信線を接続する通信線接続手段に前記通信線接続手段の接続口を塞ぐつまみを有し且つ前記つまみをスライドさせると前記通信線接続手段の接続口が現れるスライドＳＷを備えたことを特徴とするものであり、作業者が冷却装置本体の親機の指定を行うことなく親機が特定されるという作用を有する。
【００６８】
本発明の請求項１５記載の発明は、冷却装置本体に発熱体収納函との信号の伝送を行う通信線を接続したことを判断する通信線接続判断手段を備えたことを特徴とするものであり、通信線が接続された冷却装置本体の号機が特定されるという作用を有する。
【００６９】
本発明の請求項１６記載の発明は、発熱体収納函との信号の伝送を行う通信線を接続する通信線接続手段の接続口に隣接してレバーが押されると接点が動作するプッシュＳＷを備え、前記通信線を接続すると前記プッシュＳＷのレバーが押されこのプッシュＳＷの接点が動作するようにしたことを特徴とするものであり、通信線が接続された冷却装置本体の号機が特定されるという作用を有する。
【００７０】
本発明の請求項１７記載の発明は、発熱体収納函との信号の伝送を行う通信線を接続する通信線接続手段に前記通信線接続手段の接続口を塞ぐつまみを有し且つ前記つまみをスライドさせると前記通信線接続手段の接続口が現れるスライドＳＷを備えたことを特徴とするものであり、通信線が接続された冷却装置本体の号機を特定されるという作用を有する。
【００７１】
本発明の請求項１８記載の発明は、発熱体収納函に設置された複数台の冷却装置本体間の電力線搬送通信における冷却装置本体の号機を確定する冷却装置本体側制御手段と該当号機を視認するための発光表示装置を冷却装置本体に備えたことを特徴とするものであり、冷却装置本体の号機が発光表示されるという作用を有する。
【００７２】
本発明の請求項１９記載の発明は、発熱体収納函に設置された複数台の冷却装置本体間の電力線搬送通信における冷却装置本体の号機を確定する冷却装置本体側制御手段と該当号機を確認するための音声発声手段を冷却装置本体に備えたことを特徴とするものであり、冷却装置本体の号機が音声表示されるという作用を有する。
【００７３】
以下、本発明の実施形態について図面を参照しながら説明する。
【００７４】
（実施の形態１）
図１に示すように、発熱体収納函１を冷却するシステムは発熱体収納函１の発熱量に応じて設置される複数台の冷却装置本体２（本図では冷却装置本体の設置台数を３台として例にし、それぞれの冷却装置本体２をＡ号機２ａ、Ｂ号機２ｂ、Ｃ号機２ｃと適宜称する。また、以降の説明全てに共通する。）とコントローラー３よりなり、冷却装置本体２には発熱体収納函１の内気温を外気に廃熱する熱交換手段としての熱交換器４と冷却装置本体側制御手段としてのマイコンを搭載した冷却装置本体側電子制御装置５により制御駆動される循環送風手段としてのファンモーター６と発熱体収納函１の外気温度を測定する外気温測定手段としての外気温サーミスター７が前期冷却装置本体側電子制御装置５に接続され、コントローラー３には発熱体収納函１の内気温度を測定する内気温測定手段としての内気温サーミスター８とがコントローラー側制御手段としてのマイコンを搭載したコントローラー側電子制御装置９に接続され発熱体収納函１との信号の伝送を行う通信線１０が通信線接続手段としての通信用端子台１１に接続されている。
【００７５】
発熱体収納函１より供給される電源が電源線１２を通じてコントローラー３に設けられたコントローラー側電源入力手段としてのコントローラー側電源端子台１３に接続され、コントローラー３内部で分配され予め想定した冷却装置本体２の設置される複数台分の中継手段としての中継端子台１４に接続される。この電源ラインに電力線搬送通信を用いた送受信信号を搬送させるコントローラー側信号搬送部１５を挿入し、コントローラー側電源端子台１３直後には発熱体収納函１の電源に搬送された信号が伝播しないように信号遮断手段としてのフィルター１６を備えている。
【００７６】
冷却装置本体２では、それぞれの中継端子台１４に接続された２本の中継線１７がそれぞれコントローラーから供給された電源を取り入れる冷却装置本体側電源入力手段としての冷却装置本体側電源端子台１８に接続されて電源が供給されこの電源ラインに電力線搬送通信を用いた送受信信号を搬送させる冷却装置本体側信号搬送部１９を備えている。
【００７７】
上記構成において、コントローラー側電子制御装置９ではコントローラー３で測定した発熱体収納函１の内気温度と２本の中継線１７に搬送された冷却装置本体２で測定した発熱体収納函１の外気温度の値が比較されて、内気温度が外気温度より高い場合には、冷却装置本体２に対して運転指令をコントローラー側信号搬送部１５を通じて信号を送り、冷却装置本体側信号搬送部１９にて信号を受信し冷却装置本体側電子制御装置５が循環送風手段としてのファンモーター６を駆動させることにより、熱交換器４に内気と外気を循環させ、発熱体収納函１の内気温が外気に廃熱され、発熱体収納函１が冷却される。
【００７８】
また、発熱体収納函１からの冷却装置本体２の運転信号が通信線１０を通じてコントローラー側電子制御装置９に伝えられ、あるいは発熱体収納函１の内気温度が推定された最大温度を超えた場合には、発熱体収納函１の外気温度と比較を行うことなく、前記と同様に冷却装置本体２に対して運転指令を搬送することにより発熱体収納函１の廃熱を行うこともある。
【００７９】
一方、コントローラー３の異常、冷却装置本体２の異常情報が冷却装置本体側信号搬送部１９とコントローラー側信号搬送部１５を通じてコントローラー側電子制御装置９に集められ、状況に応じて発熱体収納函１へ通信線１０を通じて情報が伝送される。なお、情報にはそのほか内気温、外気温、ファンモーター６の回転数など様々な情報が送ることも容易である。
【００８０】
このようにコントローラー３とそれぞれの冷却装置本体２の間は２本の中継線１７で電源の供給、信号送受信が可能となり省配線であると同時に発熱体収納函１内部で使用するケーブルの数も減り省スペース化も可能となる。
【００８１】
（実施の形態２）
実施の形態１と同一部分に付いては同一番号を付し詳細な説明をする。図２に示すように、図１の構成に加えてそれぞれの冷却装置本体２を識別するための号機を判断する冷却装置本体号機判断手段である冷却装置本体側電子制御装置５に設けたマイコン２１と電気的に接続された冷却装置本体の号機を設定する冷却装置本体号機設定手段としての冷却装置本体号機設定ＳＷ２０を付加して備えている。
【００８２】
また、図３は前記冷却装置本体号機設定ＳＷ２０の設定例を示した表であり、この冷却装置本体号機設定ＳＷ２０の接点の状態により前記マイコン２１の入力端子ＩＮ１、ＩＮ２の電位の状態による冷却装置本体２の号機の判断例である。
【００８３】
上記構成において、冷却装置本体号機設定ＳＷ２０の設定の仕方により図３の表に示す通りマイコン２１では冷却装置本体２の号機を判断（即ちＡ号機２ａ、Ｂ号機２ｂ、Ｃ号機２ｃと判断）することとなり、コントローラー３では冷却装置本体２に個別に運転指令を送ることが可能となり、発熱体収納函１の発熱量に応じて冷却装置本体２の運転台数を増減させることができ、それぞれの冷却装置本体２より送信されてくる信号も確認することができる。また、冷却装置本体号機設定ＳＷ２０の設定を設置作業者あるいはサービスマンが視認することによりそれぞれの冷却装置本体２の識別が可能となる。
【００８４】
（実施の形態３）
実施の形態１と同一部分に付いては同一番号を付し詳細な説明をする。図４に示すように、発熱体収納函１を冷却する装置は発熱体収納函１の発熱量に応じて設置される複数台の冷却装置本体２とコントローラー３よりなり、冷却装置本体２には発熱体収納函１の内気温を外気に廃熱する熱交換手段としての熱交換器４と冷却装置本体側制御手段としてのマイコンを搭載した冷却装置本体側電子制御装置５により制御駆動される循環送風手段としてのファンモーター６と発熱体収納函１の外気温度を測定する外気温測定手段としての外気温サーミスター７が前期冷却装置本体側電子制御装置５に接続され、コントローラー３には発熱体収納函１の内気温度を測定する内気温測定手段としての内気温サーミスター８とがコントローラー側制御手段としてのマイコンを搭載したコントローラー側電子制御装置９に接続され発熱体収納函１との信号の伝送を行う通信線１０が通信線接続手段としての通信用端子台１１に接続されている。
【００８５】
発熱体収納函１より供給される電源が電源線１２を通じてコントローラー３に設けられたコントローラー側電源入力手段としてのコントローラー側電源端子台１３に接続され、コントローラー３内部で供給された電源を分配し取り出すコントローラー側中継手段としてのコントローラー側中継端子台２２に接続される。この電源ラインに電力線搬送通信を用いた送受信信号を搬送させるコントローラー側信号搬送部１５を挿入し、コントローラー側電源端子台１３より供給された電源ラインの直後には発熱体収納函の電源ラインに搬送された信号が伝播しないようにコントローラー側信号遮断手段としてのフィルター１６を備えている。
【００８６】
コントローラー側中継端子台２２に接続された２本の中継線１７ａがＡ号機２ａの冷却装置本体側電源端子台１８に接続され電源が供給されＡ号機２ａ内部で供給された電源を分配し取り出す冷却装置本体側中継手段としての冷却装置側中継端子台２３に接続している。この電源ラインに電力線搬送通信を用いた送受信信号を搬送させる第１の信号搬送部２４と第２の信号搬送部２５とこの間に第１の信号搬送部２４の信号と第２の信号搬送部２５による信号が干渉しないように冷却装置本体側信号遮断手段としてのフィルター１６を備えている。
【００８７】
Ａ号機２ａの冷却装置本体側中継端子台２３に接続された２本の中継線１７ｂがＢ号機２ｂの冷却装置本体側電源端子台１８に接続される。以下、同様にＢ号機２ｂの冷却装置本体側中継端子台２３に接続された２本の中継線１７ｃがＣ号機２ｃの冷却側電源端子台１８に接続されている。
【００８８】
上記構成において、図面上便宜的にＡ号機２ａ、Ｂ号機２ｂ、Ｃ号機２ｃと説明したがそれぞれの冷却装置側電子制御装置５では設置後電源を得るまでは正式な冷却装置本体２の識別である号機を認識していないので、コントローラー側電子制御装置９は、電源投入と同時にコントローラー側信号搬送部１５より冷却装置本体２のＡ号機を確定させるための信号を送り２本の中継線１７ａを通じてその信号を第１の信号搬送部２４で受け取った冷却装置本体２をＡ号機と認識、判断すると同時に第１の信号搬送部２４よりＡ号機確定信号を返信する。次にＡ号機２ａの第２の信号搬送部２５より前記同様に冷却装置本体２の号機を確定させるための信号を新たに送り、２本の中継線１７ｂを通じてその信号を第１の信号搬送部２４で受け取った冷却装置本体２をＢ号機と認識、判断すると同時に第１の信号搬送部２４よりＢ号機確定信号を返信する。同様にＢ号機２ｂからの新たな信号でＣ号機２ｃも判断する。Ｃ号機２ｃの第２の信号搬送部２５より前記同様に冷却装置本体２の号機を確定させるための信号を新たに送るが、中継線が接続されていないため号機の確定信号が返信されないので、Ｃ号機２ｃ以降の冷却装置本体２の設置はないものと判断し、設置された冷却装置本体２はＣ号機２ｃまでである（つまり冷却装置本体２の設置台数は３台である）とＣ号機２ｃの第１の信号搬送部２４より冷却装置本体設置台数確定信号を送信し、これまでの号機判断の手順と逆の流れによりコントローラー側電子制御装置９に冷却装置本体設置台数確定信号が届くことになる。
【００８９】
以上の様に複数台接続された冷却装置本体２の号機を確定させて、実施の形態２と同様な発熱体収納函１の冷却を行うことができる。
【００９０】
この様に冷却装置本体２の設置台数に制限が無くなり、且つ、コントローラー３と冷却装置本体２あるいは冷却装置本体２の間を接続する２本の中継線１７で電源の供給、信号送受信が可能でるから、実施の形態１および実施の形態２と同様に省配線であると同時に発熱体収納函１内部で使用するケーブルの数も減り省スペース化も可能となる。
【００９１】
（実施の形態４）
実施の形態１と同一部分に付いては同一番号を付し詳細な説明をする。図５および図６に示すように、発熱体収納函１を冷却する装置は発熱体収納函１の発熱量に応じて設置される複数台の冷却装置本体２よりなり、冷却装置本体２には発熱体収納函１の内気温を外気に廃熱する熱交換手段としての熱交換器４と冷却装置本体側制御手段としてのマイコンを搭載した冷却装置本体側電子制御装置５により制御駆動される循環送風手段としてのファンモーター６と発熱体収納函１の内気温度を測定する内気温測定手段としての内気温サーミスター８と外気温度を測定する外気温測定手段としての外気温サーミスター７が前期冷却装置本体側電子制御装置５に接続され、冷却装置本体２の親機と子機の判断を行う親機子機判断手段も兼ねた前記冷却装置本体電子制御装置５に電力線搬送通信おける親機と子機の切換え操作手段としての切換えＳＷ２６を備え発熱体収納函１への通信を行う通信線１０を接続する通信用端子台１１がある。
【００９２】
また、冷却装置本体１の内部では供給された電源を分配し取り出す第１の中継手段としての第１の中継端子台２７と第２の中継手段としての第２の中継端子台２８があり、この分配された第１の中継端子台２７の電源ラインに電力線搬送通信を用いた受信信号を搬送させる第１の信号搬送部２４を挿入し、第２の中継端子台２８の電源ラインにも電力線搬送通信を用いた送受信信号を搬送させる第２の信号搬送部２５を挿入し、この間に第１の信号搬送部２４の信号と第２の信号搬送部２５による信号が干渉しないように冷却装置本体側信号遮断手段としてのフィルター１６を備えている。
【００９３】
発熱体収納函１より供給される電源が電源線１２を通じてＡ号機２ａの冷却装置本体側電源端子台１８に接続され、Ａ号機２ａの第２の中継端子台２８に接続された２本の中継線１７ａがＢ号機２ｂの第１の中継端子台２７に接続され電源がＢ号機２ｂに電源が供給され第２の中継端子台２８に接続された２本の中継線１７ｂがＣ号機の第１の中継端子台２７に接続される。
【００９４】
ここで、冷却装置本体２の親機と子機について定義しておく。親機とは電力線搬送通信において、システム全体の制御を司る主となる機器であり、子機とはその親機に対する従となる機器の関係にある。
【００９５】
上記構成において、図面上便宜的にＡ号機２ａ、Ｂ号機２ｂ、Ｃ号機２ｃと説明したがそれぞれの冷却装置本体側電子制御装置５では設置後電源を得るまでは正式な冷却装置本体２の号機を判断し得ていないので、電源投入と同時に切換えＳＷ２６が親機側に設定された冷却装置本体２をＡ号機２ａとして識別判断し、Ａ号機２ａの冷却装置本体側電子制御装置５は第２の信号搬送部２５より切換えＳＷ２６が子機側に設定された残りの冷却装置本体２の号機を確定させるための信号を送り２本の中継線１７ａを通じてその信号を第１の信号搬送部２４で受け取った冷却装置本体２をＢ号機と認識、判断すると同時に第１の信号搬送部２４よりＢ号機確定信号を返信する。次にＢ号機２ｂの第２の信号搬送部２５より前記同様に冷却装置本体２の号機を確定させるための信号を新たに送り、２本の中継線１７ｂを通じてその信号を第１の信号搬送部２４で受け取った冷却装置本体２をＣ号機と認識判断すると同時に第１の信号搬送部２４よりＣ号機確定信号を返信する。Ｃ号機２ｃの第２の信号搬送部２５より前記同様に冷却装置本体２の号機を確定させるための信号を新たに送るが、中継線が接続されていないため、号機の確定信号が返信されないため、Ｃ号機２ｃ以降の冷却装置本体２の設置はないものと判断し、設置された冷却装置本体２はＣ号機２ｃまでである（つまり冷却装置本体２の設置台数は３台である）とＣ号機２ｃの第１の信号搬送部２４より台数確定信号を返信し、号機確定の手順と逆の流れにより親機であるＡ号機２ａの冷却装置本体側電子制御装置５に冷却装置本体設置台数確定信号が届くことになる。
【００９６】
以上の様に複数台設置された冷却装置本体２の号機を認識判断させて、実施の形態３と同様な発熱体収納函１の冷却を行うことができる。
【００９７】
この様に冷却装置本体２のみで発熱体収納函冷却システムを構成することができ、冷却装置本体２の設置台数に制限が無くなり、且つ、冷却装置本体２間を接続する２本の中継線１７で電源の供給、信号送受信が可能であるから、実施の形態１、実施の形態２および実施の形態３と同様に省配線であると同時に発熱体収納函１内部で使用するケーブルの数も減り且つコントローラー３も不要とすることができ省スペース化も可能となる。
【００９８】
（実施の形態５）
図７および図８に示すように、図５の構成に加えて発熱体収納函１の内気温を測定する内気温測定手段としての内気温サーミスター８を取り外し可能とした接続手段としての内気温サーミスター接続用端子２９を備えた構成とする。
【００９９】
上記構成において、発熱体収納函１の内気温度を測定するのは親機で十分であるので、親機とするＡ号機２ａのみ内気温サーミスター８を内気温サーミスター接続用端子２９に接続しておく。Ａ号機２ａの冷却本体側電子制御装置５にあるマイコン２１に内気温サーミスター８と直列に接続した抵抗器３０との分圧値を前記マイコン２１に入力し内気温度を測定しているが、内気温サーミスター８が接続されないと＋５Ｖに固定されることとなり、内気温サーミスター８が接続されていないことが判る。
【０１００】
この内気温サーミスター８の有無の判断ができることから、内気温サーミスター８が接続された冷却装置本体２を親機としＡ号機２ａと判断し、残りの冷却装置本体２を子機とする。
【０１０１】
これにより、実施の形態４で説明した冷却装置本体２の号機判断を同様に行い、発熱体収納函１の冷却を行う。
【０１０２】
この様に複数台設置された冷却装置本体２を識別する号機が自動で判断できる。
【０１０３】
（実施の形態６）
図９および図１０に示すように、図５の構成に加えて冷却装置本体２へ発熱体収納函１から電源を供給する電源線１２を接続する冷却装置本体側電源端子台１８の接続口３１に隣接してレバー３２が押されると接点が動作するプッシュＳＷ３３を備え、このプッシュＳＷ３３は冷却装置本体側電子制御装置５にあるマイコン２１に電気的に接続された構成とする。
【０１０４】
上記構成において、電源線１２を冷却装置本体側電源端子台１８の接続口３１から接続すると必ずレバー３２が押され、プッシュＳＷ３３の接点が閉じた状態となるので前記マイコン２１の入力部ＩＮにはプッシュＳＷ３３の接点が開であるときの＋５ＶではなくＧＮＤ電位が入力されるので電源線１２が接続されたことが判断できるので、マイコン２１の入力部ＩＮの電位がＧＮＤ電位である号機をＡ号機２ａと判断することにより、実施の形態４で説明した冷却装置本体２の号機判断を同様に行い、発熱体収納函１の冷却を行う。
【０１０５】
この様に複数台設置された冷却装置本体２を識別する号機が自動で判断できる。
【０１０６】
（実施の形態７）
図１１および図１２に示すように、図５の構成に加えて冷却装置本体２へ発熱体収納函１から電源を供給する電源線１２を接続する冷却装置本体側電源端子台１８に隣接して接続口３１を塞ぐつまみ３４の付いたスライドＳＷ３５を備え、このスライドＳＷ３５は冷却装置本体側電子制御装置５にあるマイコン２１に電気的に接続された構成とする。
【０１０７】
上記構成において、電源線１２を冷却装置本体側電源端子台１８に接続するには電源線１２が接続できるようにつまみ３４を冷却装置本体側電源端子台１８の接続口３１が見えるようにスライドさせることとなり、スライドＳＷ３５の接点が開側に移動した状態となるので前記マイコン２１の入力部ＩＮにはスライドＳＷ３５の接点が閉側であるときの＋５ＶではなくＧＮＤ電位が入力されるので電源線１２が接続されたことが判断できるので、マイコン２１の入力部ＩＮの電位がＧＮＤ電位である号機をＡ号機２ａと判断することにより、実施の形態４で説明した冷却装置本体２の号機判断を同様に行い、発熱体収納函１の冷却を行う。
【０１０８】
この様に複数台設置された冷却装置本体２を識別する号機が自動で判断できる。
【０１０９】
（実施の形態８）
図１３に示すように、図５の構成に加えて冷却装置本体２の内部で冷却装置本体側電源端子台１８に接続された電源ラインの片側に電流検出手段としてのＣＴ３６を挿入しこの出力を冷却装置本値側電子制御装置５に入力された構成とする。
【０１１０】
上記構成において、電源が投入されると電源線１２が接続されたＡ号機２ａのみ冷却装置本体側電源端子台１８を通じて電源電流が流れるので前記ＣＴ３６にて電流が流れたことがＡ号機２ａの冷却装置本体側電子制御装置５に伝えられることとなり電流を検知できた冷却装置本体２が親機であるＡ号機２ａであることが判断でき、実施の形態４で説明した冷却装置本体２の号機判断を同様に行い、発熱体収納函１の冷却を行う。
【０１１１】
この様に複数台設置された冷却装置本体２を識別する号機が自動で判断できる。
【０１１２】
（実施の形態９）
図１４および図１５に示すように、図５の構成に加えて冷却装置本体２の発熱体収納函１への通信を行う通信線１０を接続する通信用端子台１１の接続口３７に隣接してレバー３２が押されると接点が動作するプッシュＳＷ３３を備、このプッシュＳＷ３３は冷却装置本体側電子制御装置５にあるマイコン２１に電気的に接続された構成とする。
【０１１３】
上記構成において、通信線１０を通信用端子台１１の接続口３７から接続すると必ずレバー３２が押され、プッシュＳＷ３３の接点が閉じた状態となるので前記マイコン２１の入力部ＩＮにはプッシュＳＷ３３の接点が開であるときの＋５ＶではなくＧＮＤ電位が入力されるので通信線１０が接続されたことが判断できるので、マイコン２１の入力部ＩＮの電位がＧＮＤ電位である号機をＡ号機２ａと判断することにより、実施の形態４で説明した冷却装置本体２の号機判断を同様に行い、発熱体収納函１の冷却を行う。
【０１１４】
この様に複数台設置された冷却装置本体２を識別する号機が自動で判断できる。
【０１１５】
（実施の形態１０）
図１６および図１７に示すように、図５の構成に加えて冷却装置本体２の発熱体収納函１への通信を行う通信線１０を接続する通信用端子台１１に隣接して接続口３７を塞ぐつまみ３４の付いたスライドＳＷ３５を備え、このスライドＳＷ３５は冷却装置本体側電子制御装置５にあるマイコン２１に電気的に接続された構成とする。
【０１１６】
上記構成において、通信線１０を通信用端子台１１に接続するには通信線１０が接続できるようにつまみ３４を通信用端子台１１の接続口３７が見えるようにスライドさせることとなり、スライドＳＷ３５の接点が開側に移動した状態となるので前記マイコン２１の入力部ＩＮにはスライドＳＷ３５の接点が閉側であるときの＋５ＶではなくＧＮＤ電位が入力されるので通信線１０が接続されたことが判断できるので、マイコン２１の入力部ＩＮの電位がＧＮＤ電位である号機をＡ号機２ａと確定することにより、実施の形態４で説明した冷却装置本体２の号機判断を同様に行い、発熱体収納函１の冷却を行う。
【０１１７】
この様に複数台設置された冷却装置本体２を識別する号機が自動で判断できる。
【０１１８】
（実施の形態１１）
図１４、図１５および図１８に示すように、実施の形態４から実施の形態８に至るに加えて冷却装置本体２の発熱体収納函１への通信を行う通信線１０を接続する通信用端子台１１の接続口３７に隣接してレバー３２の付いたプッシュＳＷ３３を備え、このプッシュＳＷ３３は発熱体収納函１との信号の伝送を行う通信線１０を接続したことを判断する通信線接続判断手段も兼ねた冷却装置本体側電子制御装置５に備えたマイコン２１に電気的に接続された構成とする。
【０１１９】
上記構成において、通信線１０を通信用端子台１１の接続口３７から接続すると必ずレバー３２が押され、プッシュＳＷ３３の接点が閉じた状態となるので前記マイコン２１の入力部ＩＮにはプッシュＳＷ３３の接点が開であるときの＋５ＶではなくＧＮＤ電位が入力されるので通信線１０が接続されたことが判断できるので、マイコン２１の入力部ＩＮの電位がＧＮＤ電位である号機（この実施の形態ではＢ号機２ｂ）を親機に関係無く発熱体収納函１との通信用号機と確定する。この通信用号機と確定した結果を電力線搬送通信によりＡ号機２ａに伝送することでＡ号機２ａでは、通信線１０が接続された冷却装置本体２がＢ号機２ｂであることを認識し、発熱体収納函１への伝送内容を電力線搬送通信によりＢ号機２ｂに送り、Ｂ号機２ｂより通信線１０を使って発熱体収納函１へ前記の伝送内容を送る。また、発熱体収納函１からの信号をＢ号機２ｂで受信して、その内容を電力線搬送通信によりＡ号機２ａに送る。以上の様にして、実施の形態４と同様の発熱体収納函１の冷却を行う。
【０１２０】
この様に通信線１０を接続する冷却装置本体２を自由に選ぶことができ発熱体収納函１の通信線接続口（図示せず）との最短による配線が可能で省配線、省スペース化も可能となる。
【０１２１】
（実施の形態１２）
図１６、図１７および図１８に示すように、実施の形態４から実施の形態８に至るに加えて冷却装置本体２の発熱体収納函１への通信を行う通信線１０を接続する通信用端子台１１に隣接して接続口３７を塞ぐつまみ３４の付いたスライドＳＷ３５を備え、このスライドＳＷ３５は発熱体収納函１との信号の伝送を行う通信線１０を接続したことを判断する通信線接続判断手段も兼ねた冷却装置本体側電子制御装置５に備えたマイコン２１に電気的に接続された構成とする。
【０１２２】
上記構成において、通信線１０を通信用端子台１１に接続するには通信線１０が接続できるようにつまみ３４を通信用端子台１１の接続口３７が見えるようにスライドさせることとなり、スライドＳＷ３５の接点が開側に移動した状態となるので前記マイコン２１の入力部ＩＮにはスライドＳＷ３５の接点が閉側であるときの＋５ＶではなくＧＮＤ電位が入力されるので通信線１０が接続されたことが判断できるので、マイコン２１の入力部ＩＮの電位がＧＮＤ電位である号機（この実施の形態ではＢ号機２ｂ）を親機に関係無く発熱体収納函１との通信用号機と確定する。この通信用号機と確定した結果を電力線搬送通信によりＡ号機２ａに伝送することでＡ号機２ａでは、通信線１０が接続された冷却装置本体２がＢ号機２ｂであることを認識し、発熱体収納函１への伝送内容を電力線搬送通信によりＢ号機２ｂに送り、Ｂ号機２ｂより通信線１０を使って発熱体収納函１へ前記の伝送内容を送る。また、発熱体収納函１からの信号をＢ号機２ｂで受信して、その内容を電力線搬送通信によりＡ号機２ａに送る。以上の様にして、実施の形態４と同様の発熱体収納函１の冷却を行う。
【０１２３】
この様に通信線１０を接続する冷却装置本体２を自由に選ぶことができ発熱体収納函１の通信線接続口（図示せず）との最短による配線が可能で省配線、省スペース化も可能となる。
【０１２４】
（実施の形態１３）
図１９に示すように、図５の構成に加えて冷却装置本体側電子制御装置５に表示手段である７セグＬＥＤ３８を備えた構成とする。
【０１２５】
上記構成において、実施の形態４から実施の形態１２に至る冷却装置本体２の号機判定の結果を７セグＬＥＤ３８に表示することができ、設置業者やサービスマンが自動で確定された冷却装置本体２の号機判定の情報を得ることができる。
【０１２６】
なお、表示手段として７セグＬＥＤを用いたが、ＬＥＤを用いて点滅回数などによって識別可能な表示をさせることでも、また複数のＬＥＤを用いて２進数的に表示することでもよく、さらには液晶表示であってもその作用に差異を生じない。
【０１２７】
また、図示していないが実施の形態１から実施の形態３に至る冷却装置本体側制御手段にも同様の表示手段を備えることは容易に想定可能で作用に差異を生じない。
【０１２８】
（実施の形態１４）
図２０に示すように、図５の構成に加えて冷却装置本体側電子制御装置５に音声発生手段であるスピーカー３９を備えた構成とする。
【０１２９】
上記構成において、実施の形態４から実施の形態１２に至る冷却装置本体２の号機判定の結果を確認ＳＷ（図示せず）を押すたびに例えば「Ａ号機です」などとスピーカー３９より音声を発生することができ、設置業者やサービスマンが自動で確定された冷却装置本体２の号機判定の情報を得ることができる。
【０１３０】
なお、音声発生手段としてスピーカーとしたが、ブザーなどを用いてブザー音の発生回数などで知らせることもできその作用に差異を生じない。
【０１３１】
また、図示していないが実施の形態１から実施の形態３に至る冷却装置本体側制御手段にも同様の音声発生手段を備えることは容易に想定可能で作用に差異を生じない。
【産業上の利用可能性】
【０１３２】
冷却装置本体やコントローラーに取り付けた電源ラインに電力線搬送通信用の信号を搬送させる信号搬送部を用いて容易に省配線、省スペース化を実現し、航空機の気密室や貨物コンテナなどの気密性を有する収納函などの空調設備などにも適用できる。
【図面の簡単な説明】
【０１３３】
【図１】本発明の実施の形態１の発熱体収納函冷却システムの構成を示すブロック図
【図２】本発明の実施の形態２の制御部の構成を示す回路図
【図３】本発明の実施の形態２の冷却装置本体の号機の判断を示す表図
【図４】本発明の実施の形態３の発熱体収納函冷却システムの構成を示すブロック図
【図５】本発明の実施の形態４の発熱体収納函冷却システムの構成を示すブロック図
【図６】本発明の実施の形態４の制御部の構成を示す回路図
【図７】本発明の実施の形態５の発熱体収納函冷却システムの構成を示すブロック図
【図８】本発明の実施の形態５の制御部の構成を示す回路図
【図９】本発明の実施の形態６の接続部の構成を示す構成図
【図１０】本発明の実施の形態６の制御部の構成を示す回路図
【図１１】本発明の実施の形態７の制御部の構成を示す回路図
【図１２】本発明の実施の形態７の接続部の構成を示す構成図
【図１３】本発明の実施の形態８の発熱体収納函冷却システムの構成を示すブロック図
【図１４】本発明の実施の形態９の接続部の構成を示す回路図
【図１５】本発明の実施の形態９の制御部の構成を示す構成図
【図１６】本発明の実施の形態１０の接続部の構成を示す回路図
【図１７】本発明の実施の形態１０の制御部の構成を示す構成図
【図１８】本発明の実施の形態１１および１２の発熱体収納函冷却システムの構成を示すブロック図
【図１９】本発明の実施の形態１３の発熱体収納函冷却システムの構成を示すブロック図
【図２０】本発明の実施の形態１４の発熱体収納函冷却システムの構成を示すブロック図
【図２１】従来の発熱体収納函冷却装置本体の構成図
【図２２】従来の発熱体収納函冷却システムの構成を示す構成図
【図２３】従来の発熱体収納函冷却システムの構成を示すブロック図
【符号の説明】
【０１３４】
１    発熱体収納函
２    冷却装置本体
３    コントローラー
４    熱交換器
５    冷却装置本体側電子制御装置
６    ファンモーター
７    外気温サーミスター
８    内気温サーミスター
９    コントローラー側電子制御装置
１０  通信線
１１  通信用端子台
１２  電源線
１３  コントローラー側電源端子台
１４  中継端子台
１５  コントローラー側信号搬送部
１６  フィルター
１７  ２本の中継線
１８  冷却装置本体側電源端子台
１９  冷却装置本体側信号搬送部
２０  冷却装置本体号機設定ＳＷ
２１  マイコン
２２  コントローラー側中継端子台
２３  冷却装置側中継端子台
２４  第１の信号搬送部
２５  第２の信号搬送部
２６  切換えＳＷ
２７  第１の中継端子台
２８  第２の中継端子台
２９  内気温サーミスター接続用端子
３０  抵抗器
３１  冷却装置本体側電源端子台の接続口
３２  レバー
３３  プッシュＳＷ
３４  つまみ
３５  スライドＳＷ
３６  ＣＴ
３７  通信用端子台の接続口
３８  ７セグＬＥＤ
３９  スピーカー
【図１】
2006098016.tif 000003
【図２】
2006098016.tif 000004
【図３】
2006098016.tif 000005
【図４】
2006098016.tif 000006
【図５】
2006098016.tif 000007
【図６】
2006098016.tif 000008
【図７】
2006098016.tif 000009
【図８】
2006098016.tif 000010
【図９】
2006098016.tif 000011
【図１０】
2006098016.tif 000012
【図１１】
2006098016.tif 000013
【図１２】
2006098016.tif 000014
【図１３】
2006098016.tif 000015
【図１４】
2006098016.tif 000016
【図１５】
2006098016.tif 000017
【図１６】
2006098016.tif 000018
【図１７】
2006098016.tif 000019
【図１８】
2006098016.tif 000020
【図１９】
2006098016.tif 000021
【図２０】
2006098016.tif 000022
【図２１】
2006098016.tif 000023
【図２２】
2006098016.tif 000024
【図２３】
2006098016.tif 000025